(57)【要約】【課題】建物の室内空気に含まれる汚染物質を効率よく吸着することができる活性炭を備えるフィルタを提供する。【解決手段】第１フィルタと、第１フィルタの風上側に設けた第２フィルタと、風下側に設けた第３フィルタと、第１〜第３のフィルタを固定する枠体と、を備えるフィルタであって、第１フィルタは、枠体の内側に固定されるとともに、枠体の内側に形成された室内空気が通過する空間を格子状に区分する格子部材と、格子部材に固定されて、室内空気中に含まれる汚染物質を吸着する第１活性炭と、を備え、第２フィルタは、室内空気が通過する不織布と、不織布に保持されて、室内空気中に含まれる汚染物質を吸着する第２活性炭と、を備え、第２活性炭が室内空気に接触する表面積は、第１活性炭における表面積より大きく、第１活性炭の重量は、第２活性炭の重量より大きい。【選択図】図４
2017029389.tif 000002
【特許請求の範囲】
【請求項１】
第１フィルタと、
第１フィルタの通風方向における風上側に設けた第２フィルタと、
第１フィルタの通風方向における風下側に設けた第３フィルタと、
第１フィルタ、第２フィルタ、および第３フィルタとを固定する枠体と、を備え、
第１フィルタは、
枠体の内側に固定されるとともに、枠体の内側に形成された室内空気が通過する空間を格子状に区分する格子部材と、
格子部材に固定されて、室内空気中に含まれる汚染物質を吸着する第１活性炭と、を備え、
第２フィルタは、
室内空気が通過する不織布と、
不織布に保持されて、室内空気中に含まれる汚染物質を吸着する第２活性炭と、を備え、
第２活性炭が室内空気に接触する表面積は、第１活性炭における表面積より大きく、第１活性炭の重量は、第２活性炭の重量より大きい、フィルタ。
【請求項２】
第１フィルタの格子部材に形成される格子状の一の開口の大きさは、第２フィルタの不織布に形成される一の開口よりも大きい、請求項１に記載のフィルタ。
【請求項３】
第１フィルタにおける第１活性炭は、多数の第１活性炭粒子を含み、
第２フィルタにおける第２活性炭は、多数の第２活性炭粒子を含み、
第２活性炭粒子の平均粒径は、第１活性炭粒子の平均粒径よりも小さく、第２活性炭粒子の粒子数は、第１活性炭粒子の粒子数より多い、請求項１または２に記載のフィルタ。
【請求項４】
第２フィルタの圧力損失は、第１フィルタの圧力損失より大きい、請求項１から３のいずれか１つに記載のフィルタ。
【請求項５】
第１フィルタは、格子部材として、第１フィルタの通風方向において重ねて配置された第１格子部材と第２格子部材とを備え、
第１格子部材の格子状開口は、第２格子部材の格子状開口に対して、第１フィルタの通風方向に直交する向きにずらして配置されている、請求項１から４のいずれか１つに記載のフィルタ。
【請求項６】
第３フィルタは、
室内空気が通過する不織布と、
不織布に保持されて、室内空気中に含まれる汚染物質を吸着する第３活性炭と、を備え、
第３活性炭が室内空気に接触する表面積は、第１活性炭における表面積より大きく、第１活性炭の重量は、第３活性炭の重量より大きい、請求項１から５のいずれか１つに記載のフィルタ。
【請求項７】
第１フィルタの格子部材に形成される格子状の一の開口の大きさは、第３フィルタの不織布に形成される一の開口よりも大きい、請求項６に記載のフィルタ。
【請求項８】
第１フィルタにおける第１活性炭は、多数の第１活性炭粒子を含み、
第３フィルタにおける第３活性炭は、多数の第３活性炭粒子を含み、
第３活性炭粒子の平均粒径は、第１活性炭粒子の平均粒径よりも小さく、第３活性炭粒子の粒子数は、第１活性炭粒子の粒子数より多い、請求項６または７に記載のフィルタ。
【請求項９】
第３フィルタの圧力損失は、第１フィルタの圧力損失より大きい、請求項６から８のいずれか１つに記載のフィルタ。
【発明の詳細な説明】
【技術分野】
【０００１】
本開示は、室内空気に含まれる汚染物質を吸着する活性炭を備えるフィルタに関する。
【背景技術】
【０００２】
従来、活性炭を備えるフィルタとしては、様々な構成のものが知られている。例えば、建物の内装材等として用いられる建材から発生するホルムアルデヒドなどの汚染物質（揮発性有機化合物（Volatile Organic Compounds））を吸着する用途として、活性炭フィルタが用いられている（特許文献１参照）。このような活性炭フィルタを用いて汚染物質を吸着することにより、特に新築建物において、汚染物質の濃度を低減することができる。
【先行技術文献】
【特許文献】
【０００３】
【特許文献１】特開平１１−２０７１３０号公報
【発明の概要】
【発明が解決しようとする課題】
【０００４】
近年、生活環境や健康への意識の高まりに伴って、特に新築建物の居住者に対し、このような汚染物質による健康への影響を限りなく低減することが求められている。そのためには、室内空気に含まれる汚染物質をより効率的に除去する必要がある。
【０００５】
従って、本開示の目的は、建物の室内空気に含まれる汚染物質を効率よく吸着することができる活性炭を備えるフィルタを提供することにある。
【課題を解決するための手段】
【０００６】
上記目的を達成するために、本開示のフィルタは以下のように構成する。
【０００７】
本開示の一の態様によれば、第１フィルタと、第１フィルタの通風方向における風上側に設けた第２フィルタと、第１フィルタの通風方向における風下側に設けた第３フィルタと、第１フィルタ、第２フィルタ、および第３フィルタとを固定する枠体と、を備え、第１フィルタは、枠体の内側に固定されるとともに、枠体の内側に形成された室内空気が通過する空間を格子状に区分する格子部材と、格子部材に固定されて、室内空気中に含まれる汚染物質を吸着する第１活性炭（吸着材）と、を備え、第２フィルタは、室内空気が通過する不織布と、不織布に保持されて、室内空気中に含まれる汚染物質を吸着する第２活性炭（吸着材）と、を備え、第２活性炭が室内空気に接触する表面積は、第１活性炭における表面積より大きく、第１活性炭の重量は、第２活性炭の重量より大きい、フィルタを提供する。
【発明の効果】
【０００８】
本開示によれば、建物の室内空気に含まれる汚染物質を効率よく吸着できる活性炭を備えるフィルタを提供することができる。
【図面の簡単な説明】
【０００９】
【図１】本開示の一の実施の形態にかかるフィルタの外観図
【図２】図１のフィルタの側方からの透過図
【図３】図１のフィルタにおける第１フィルタの正面図
【図４】図１のフィルタにおける第２フィルタの正面図
【図５】図１のフィルタにおける第３フィルタの正面図
【図６】本開示の実施の形態の変形例にかかる２重構造の格子部材の正面図
【図７】本実施の形態の実施例にかかるフィルタの分解写真
【図８】図７の実施例のフィルタにおける第２および第３のフィルタの部分拡大写真
【図９】図７の実施例のフィルタにおける第１フィルタの外観写真
【図１０】図７の実施例のフィルタにおける第１フィルタの部分拡大写真
【図１１】図７の実施例のフィルタにおける第２および第３のフィルタの部分拡大写真
【図１２】実施例のフィルタにおけるホルムアルデヒドの除去特性の測定結果グラフ
【図１３】比較例１、２のフィルタにおけるホルムアルデヒドの除去特性の測定結果
【図１４】比較例３、４のフィルタにおけるホルムアルデヒドの除去特性の測定結果グラフ
【発明を実施するための形態】
【００１０】
本開示の第１態様によれば、第１フィルタと、第１フィルタの通風方向における風上側に設けた第２フィルタと、第１フィルタの通風方向における風下側に設けた第３フィルタと、第１フィルタ、第２フィルタ、および第３フィルタとを固定する枠体と、を備え、第１フィルタは、枠体の内側に固定されるとともに、枠体の内側に形成された室内空気が通過する空間を格子状に区分する格子部材と、格子部材に固定されて、室内空気中に含まれる汚染物質を吸着する第１活性炭（吸着材）と、を備え、第２フィルタは、室内空気が通過する不織布と、不織布に保持されて、室内空気中に含まれる汚染物質を吸着する第２活性炭（吸着材）と、を備え、第２活性炭が室内空気に接触する表面積は、第１活性炭における表面積より大きく、第１活性炭の重量は、第２活性炭の重量より大きい、フィルタを提供する。
【００１１】
本開示の第２態様によれば、第１フィルタの格子部材に形成される格子状の一の開口の大きさは、第２フィルタの不織布に形成される一の開口よりも大きい、第１態様に記載のフィルタを提供する。
【００１２】
本開示の第３態様によれば、第１フィルタにおける第１活性炭は、多数の第１活性炭粒子を含み、第２フィルタにおける第２活性炭は、多数の第２活性炭粒子を含み、第２活性炭粒子の平均粒径は、第１活性炭粒子の平均粒径よりも小さく、第２活性炭粒子の粒子数は、第１活性炭粒子の粒子数より多い、第１または第２態様に記載のフィルタを提供する。
【００１３】
本開示の第４態様によれば、第２フィルタの圧力損失は、第１フィルタの圧力損失より大きい、第１から第３態様のいずれか１つに記載のフィルタを提供する。
【００１４】
本開示の第５態様によれば、第１フィルタは、格子部材として、第１フィルタの通風方向において重ねて配置された第１格子部材と第２格子部材とを備え、第１格子部材の格子状開口は、第２格子部材の格子状開口に対して、第１フィルタの通風方向に直交する向きにずらして配置されている、第１から第４態様のいずれか１つに記載のフィルタを提供する。
【００１５】
本開示の第６態様によれば、第３フィルタは、室内空気が通過する不織布と、不織布に保持されて、室内空気中に含まれる汚染物質を吸着する第３活性炭（吸着材）と、を備え、第３活性炭が室内空気に接触する表面積は、第１活性炭における表面積より大きく、第１活性炭の重量は、第３活性炭の重量より大きい、第１から第５態様のいずれか１つに記載のフィルタを提供する。
【００１６】
本開示の第７態様によれば、第１フィルタの格子部材に形成される格子状の一の開口の大きさは、第３フィルタの不織布に形成される一の開口よりも大きい、第６態様に記載のフィルタを提供する。
【００１７】
本開示の第８態様によれば、第１フィルタにおける第１活性炭は、多数の第１活性炭粒子を含み、第３フィルタにおける第３活性炭は、多数の第３活性炭粒子を含み、第３活性炭粒子の平均粒径は、第１活性炭粒子の平均粒径よりも小さく、第３活性炭粒子の粒子数は、第１活性炭粒子の粒子数より多い、第６または第７態様に記載のフィルタを提供する。
【００１８】
本開示の第９態様によれば、第３フィルタの圧力損失は、第１フィルタの圧力損失より大きい、第６から第８態様のいずれか１つに記載のフィルタを提供する。
【００１９】
以下に、本開示にかかる実施の形態を図面に基づいて詳細に説明する。
【００２０】
（実施の形態）
本開示の一の実施の形態にかかるフィルタ１０の外観図を図１に示す。また、図１のフィルタ１０の側方からの透過図を図２に示す。
【００２１】
図１に示すように、フィルタ１０は、概ね直方体形状を有し、互いに対向する一方の面が室内空気の導入側（風上側）となっており、他方の面が室内空気の排出側（風下側：すなわち、室内空気に含まれる汚染物質の吸着処理した空気の排出側）となっている。
【００２２】
本実施の形態のフィルタ１０は、建物の内装材等から発生するホルムアルデヒドなどの汚染物質（揮発性有機化合物（Volatile Organic Compounds: VOC））を吸着する用途として用いられる活性炭フィルタである。
【００２３】
図２に示すように、フィルタ１０は、第１フィルタ１と、第２フィルタ２と、第３フィルタ３と、第１フィルタ１、第２フィルタ２、および第３フィルタ３とを固定する枠体４とを備える。第１フィルタ１の通風方向Ａにおける風上側に第２フィルタ２が設けられ、第１フィルタ１の通風方向Ａにおける風下側に第３フィルタ３が設けられている。すなわち、通風方向Ａに対して、風上側より、第２フィルタ２、第１フィルタ１、第３フィルタ３が順に配置された状態にて、第１フィルタ１、第２フィルタ２、および第３フィルタ３が枠体４により固定されている。なお、図２では、通風方向Ａに直交する方向から枠体４を透過させて見た図であり、第１フィルタ１、第２フィルタ２、および第３フィルタ３の配列を示している。
【００２４】
ここで、第１フィルタ１の正面図を図３に示し、第２フィルタ２の正面図を図４に示し、第３フィルタ３の正面図を図５に示す。
【００２５】
図３に示すように、第１フィルタ１は、枠体４の内側に固定されるとともに、枠体４の内側に形成された室内空気が通過する空間（枠体内側空間）を格子状に区分する格子部材５を備える。格子部材１１の表面には、室内空気中に含まれる汚染物質を吸着する吸着材として機能する第１活性炭１２が固定されている。第１活性炭１２は、多数の第１活性炭粒子１３を含んでいる。
【００２６】
図４に示すように、第２フィルタ２は、室内空気が通過する不織布２１を備える。不織布２１には、室内空気中に含まれる汚染物質を吸着する吸着材として機能する第２活性炭２２が保持されている。第２活性炭２２は、多数の第２活性炭粒子２３を含んでいる。このような構成の第２フィルタ２は、例えば、不織布２１に活性炭を含浸させることにより形成される。また、第２フィルタ２は、第１フィルタ１の風上側表面に配置した状態にて、その外周縁が枠体４の内側に固定されている。
【００２７】
図５に示すように、第３フィルタ３は、室内空気が通過する不織布３１を備える。不織布３１には、室内空気中に含まれる汚染物質を吸着する吸着材として機能する第３活性炭３２が保持されている。第３活性炭３２は、多数の第３活性炭粒子３３を含んでいる。このような構成の第３フィルタ３は、例えば、不織布３１に活性炭を含浸させることにより形成される。また、第３フィルタ３は、第１フィルタ１の風下側表面に配置した状態にて、その外周縁が枠体４の内側に固定されている。
【００２８】
このような本実施の形態のフィルタ１０では、第２フィルタ２の第２活性炭２２が室内空気に接触する表面積Ｓ２は、第１フィルタ１の第１活性炭１２が室内空気に接触する表面積Ｓ１よりも大きく設定されている。
【００２９】
また、フィルタ１０では、第１フィルタ１の第１活性炭１２の重量Ｗ１は、第２フィルタ２の第２活性炭２２の重量Ｗ２よりも大きく設定されている。
【００３０】
このようにフィルタ１０において、活性炭の表面積（Ｓ１＜Ｓ２）および重量（Ｗ１＞Ｗ２）の関係を有していることにより、次のような効果を得ることができる。
【００３１】
まず、フィルタ１０において室内空気を通過させると、第２フィルタ２の第２活性炭２２は、第１フィルタ１の第１活性炭１２よりも室内空気が接触する表面積が大きい。これにより、第２活性炭２２では、第１活性炭１２に比べて室内空気に含まれる汚染物質を多く吸着することができる。
【００３２】
次に、第１フィルタ１の第１活性炭１２は、第２フィルタ２の第２活性炭２２よりも重量が大きい。これにより、第１活性炭１２では、第２活性炭２２に比べて室内空気に含まれる汚染物質を長い期間吸着することができる。
【００３３】
すなわち、第２フィルタ２では、第１フィルタ１に比べて短い期間ではあるが多い量の汚染物質を吸着することができ、第１フィルタ１では、第２フィルタ２に比べて少ない量ではあるが長い期間汚染物質を吸着することができる。
【００３４】
新築建物において建材などから発生する汚染物質（ＶＯＣ等）は、最初に発生量が多く、時間と共に発生量が低下する傾向にある。このような発生量の傾向を有する汚染物質に対して、本実施の形態のフィルタ１を適用することで、最初の発生量が多い汚染物質を、第２フィルタ２を主体として吸着することができる。その後、最初に比べて少ない量ではあるが長い期間発生し続ける汚染物質を、第１フィルタ１を主体として吸着することができる。よって、最初に発生量が多く、時間と共に発生量が低下する新築建物の建材などから発生する汚染物質を、フィルタ１０にて効率良く吸着することができる。
【００３５】
本実施形態のフィルタ１が有する更なる特徴について、説明する。
【００３６】
フィルタ１０において、第２フィルタ２の第２活性炭粒子２３の平均粒径Ｄ２は、第１フィルタ１の第１活性炭粒子１３の平均粒径Ｄ１よりも小さく設定されている。
【００３７】
また、第２フィルタ２の第２活性炭粒子２３の粒子数Ｎ２は、第１フィルタ１の第１活性炭粒子１３の粒子数Ｎ１よりも多く設定されている。
【００３８】
これにより、平均粒径が小さくかつ粒子数が多い第２フィルタ２において、第１フィルタ１に比べて多くの量の汚染物質を吸着することができる。また、平均粒径が大きくかつ粒子数が少ない第１フィルタ１において、第２フィルタ２に比べて長い期間汚染物質を吸着することができる。
【００３９】
フィルタ１０において、第１フィルタ１の格子部材１１に形成される格子状の１つの開口の大きさ（例えば、開口幅）は、第２フィルタ２の不織布２１に形成される１つの開口（例えば、隣接する不織布繊維間の距離）よりも大きく設定されている。
【００４０】
また、フィルタ１０において、第２フィルタ２の圧力損失Ｐ２は、第１フィルタ１の圧力損失Ｐ１よりも大きく設定されている。
【００４１】
これにより、フィルタ１０に室内空気が通過する際に、風上側に位置する第２フィルタ２を室内空気が通過することで、第２フィルタ２の圧力損失Ｐ２により、通過風速が低下する。そのため、低下した通過風速にて室内空気が第１フィルタ１を通過することになる。よって、第１フィルタ１の第１活性炭１２において、汚染物質を吸着しやすくなる。
【００４２】
また、本実施の形態のフィルタ１０では、第３フィルタ３として、第２フィルタ２と同じ仕様のフィルタを用いている。そのため、上述した第１フィルタ１と第２フィルタ２との間の関係による効果と同様な効果を、第１フィルタ１と第３フィルタ３との間の関係によっても得ることができる。
【００４３】
具体的には、フィルタ１０では、第３フィルタ３の第３活性炭３２が室内空気に接触する表面積Ｓ３は、第１フィルタ１の第１活性炭１２が室内空気に接触する表面積Ｓ１よりも大きく設定されている。
【００４４】
また、フィルタ１０では、第１フィルタ１の第１活性炭１２の重量Ｗ１は、第３フィルタ３の第３活性炭３２の重量Ｗ３よりも大きく設定されている。
【００４５】
これにより、第３フィルタ３では、第１フィルタ１に比べて短い期間ではあるが多い量の汚染物質を吸着することができ、第１フィルタ１では、第３フィルタ３に比べて少ない量ではあるが長い期間汚染物質を吸着することができる。よって、最初に発生量が多く、時間と共に発生量が低下する新築建物の建材などから発生する汚染物質を、フィルタ１０にてさらに効率良く吸着することができる。
【００４６】
また、フィルタ１０において、第３フィルタ３の第３活性炭粒子３３の平均粒径Ｄ３は、第１フィルタ１の第１活性炭粒子１３の平均粒径Ｄ１よりも小さく設定されている。
【００４７】
また、第３フィルタ３の第３活性炭粒子３３の粒子数Ｎ３は、第１フィルタ１の第１活性炭粒子１３の粒子数Ｎ１よりも多く設定されている。
【００４８】
これにより、平均粒径が小さくかつ粒子数が多い第３フィルタ３において、第１フィルタ１に比べて多くの量の汚染物質を吸着することができる。
【００４９】
また、フィルタ１０において、第１フィルタ１の格子部材１１に形成される格子状の１つの開口の大きさ（例えば、開口幅）は、第３フィルタ３の不織布３１に形成される１つの開口（例えば、隣接する不織布繊維間の距離）よりも大きく設定されている。
【００５０】
また、フィルタ１０において、第３フィルタ３の圧力損失Ｐ３は、第１フィルタ１の圧力損失Ｐ１よりも大きく設定されている。
【００５１】
これにより、フィルタ１０に室内空気が通過する際に、風下側に位置する第３フィルタ３の圧力損失Ｐ３によっても、通過風速が低下し、第１フィルタ１の第１活性炭１２において、汚染物質をさらに吸着しやすくなる。
【００５２】
本実施の形態のフィルタ１０によれば、最初に発生量が多く、時間と共に発生量が低下する新築建物の建材などから発生する汚染物質を、フィルタ１０にて効率良く吸着することができる。
【００５３】
なお、上述の実施の形態では、第１フィルタ１が１つの格子部材１１を備える場合を例としたが、このような場合のみに限られない。例えば、複数の格子部材が通風方向Ａにおいて重ねて配置されるような場合であってもよい。例えば、図６に示す本実施の形態の変形例にかかる第１フィルタ５では、第１格子部材５１と第２格子部材５２とが通風方向Ａにおいて重ねて配置された構成（２重構造）を有する。さらに、第１格子部材５１の格子状開口は、第２格子部材５２の格子状開口に対して、通風方向Ａに直交する向きにずらして配置されている。なお、図６では、第１格子部材５１を実線にて示し、第２格子部材５２を点線にて示している。また、図面を理解しやすいように、活性炭の図示を省略している。
【００５４】
このような構成によれば、第１フィルタ５において、汚染物質と活性炭との接触効率を高めることができ、汚染物質をさらに吸着しやすくなる。なお、複数の格子部材による多重構造は、２個のみに限られず、３個以上の格子部材を重ね合わせるような構造であってもよい。
【００５５】
また、上述の実施の形態では、第２フィルタ２と第３フィルタ３とが同じ仕様である場合を例としたが、互いに異なる仕様のフィルタを用いてもよい。
【００５６】
（実施例）
ここで、本実施の形態のフィルタ１０の実施例について説明する。
【００５７】
以下仕様のフィルタ１０を作製した。本実施例にかかるフィルタ１０の分解写真を図７に示し、第２および第３フィルタ２、３の部分拡大写真を図８に示す。第１フィルタ１の外観写真を図９に示し、第１フィルタ１の部分拡大写真を図１０に示す。また、第２および第３フィルタ２、３のさらなる部分拡大写真を図１１に示す（図１１では、第２（第３）活性炭粒子２３（３３）を示している。）。
【００５８】
＜本実施例にかかるフィルタ１０の仕様＞
・フィルタ外形サイズ：縦３００ｍｍ×横２１５ｍｍ×厚み１５ｍｍ
・第１フィルタの仕様
構造：格子部材の２重構造
サイズ：約  縦３００ｍｍ×横２１５ｍｍ×厚み１０ｍｍ
第１活性炭の重量Ｗ１：約１３５ｇ
第１活性炭の表面積Ｓ１：２５００ｃｍ２（計算値）
第１活性炭粒子の平均粒径Ｄ１：約１．８ｍｍ
第１活性炭粒子の粒子数Ｎ１：１３０００個／１３５ｇ（計算値）
格子状の１つの開口の大きさ：約１５ｍｍ×１５ｍｍ（格子部材のみ）
：約１０ｍｍ×１０ｍｍ（活性炭粒子付）
圧力損失Ｐ１：１３〜１７Ｐａ（風量：４．３ｍ３／ｍｉｎ）
・第２フィルタおよび第３フィルタの共通仕様
構造：不織布
サイズ：約  縦３００ｍｍ×横２１５ｍｍ×厚み３．５ｍｍ
第２（第３）活性炭の重量Ｗ２（Ｗ３）：約９ｇ
第２（第３）活性炭の表面積Ｓ２（Ｓ３）：１２０００ｃｍ２（計算値）
第２（第３）活性炭粒子の平均粒径Ｄ２（Ｄ３）：２５μｍ
第２（第３）活性炭粒子の粒子数Ｎ２（Ｎ３）：３．１億個／枚（計算値）
開口の大きさ：第１フィルタの格子部材の開口に比して十分に小さい
圧力損失Ｐ２（Ｐ３）：２５〜３５Ｐａ（風量：４．３ｍ３／ｍｉｎ）
【００５９】
本実施例のフィルタ１０をサンプルとして、ホルムアルデヒドの除去特性（初期除去特性）を測定した。また、比較例として、第１フィルタのみを２枚重ねした構成のフィルタ（比較例１）と、第１フィルタのみを４枚重ねした構成のフィルタ（比較例２）とについても、ホルムアルデヒドの除去特性を測定した。なお、比較例１、２では、第２フィルタおよび第３フィルタを備えていない。さらに、第２フィルタのみからなるフィルタ（比較例３）と、第２フィルタのみを２枚重ねしたフィルタ（比較例４）とについても、ホルムアルデヒドの除去特性を測定した。なお、比較例３、４では、第１フィルタを備えていない。
【００６０】
測定は、所定濃度にてホルムアルデヒドが充満された容器内の空気をフィルタに循環させてろ過処理を継続し、容器内のホルムアルデヒド濃度の低下状態を除去特性として測定した。測定結果を、図１２（実施例）、図１３（比較例１、２）、図１４（比較例３、４）に示す。なお、測定結果のグラフでは、縦軸がホルムアルデヒド濃度（ｐｐｍ：対数表示）、横軸が評価時間（ｍｉｎ）となっている。具体的な測定条件は次の通りである。なお、上述仕様のフィルタにおいてφ３０ｍｍのサイズ（通風方向に直交するサイズ）のものを測定用フィルタとして用いた。
＜測定条件＞
温度：２５℃
湿度：５０％ＲＨ、
容器容量：２０Ｌ
ホルムアルデヒド（ＨＣＨＯ）初期濃度：３ｐｐｍ
ろ過風量（循環風量）：７Ｌ／ｍｉｎ
測定機器：ガス検知管９１Ｌ（ガステック社製）、IS-4160-1000b（ジェイエムエス社製）
【００６１】
図１３に示す比較例１では、ろ過開始から３０分経過してＨＣＨＯ濃度は０．０４５ｐｐｍにまでしか低下せず、目標濃度である０．０４０ｐｐｍに達しなかった。比較例３では、２５分後に濃度が０．０４０ｐｐｍに達した。図１４に示す比較例３では、ろ過開始から３０分経過して０．０５５ｐｐｍにまでしか低下せず、目標濃度である０．０４０ｐｐｍに達しなかった。比較例４では、２０分〜２５分後に濃度が０．０４０ｐｐｍに達した。
【００６２】
これに対して本実施例では、図１２に示すように、ろ過開始から１５分経過して、ＨＣＨＯ濃度が０．０３５ｐｐｍまで低下し、目標濃度を下回ることができた。これらの測定結果からは、本実施例のフィルタ１０が、最初の発生量が多い汚染物質（ホルムアルデヒド）を短時間で吸着できることが分かる。これは、活性炭が保持された不織布により構成される第２および第３フィルタによる吸着作用に加えて、第２および第３フィルタの圧力損失によって第１フィルタの通過風速が低減され、第１フィルタにおいても吸着作用が高まることによるものと推測される。
【００６３】
なお、上記様々な実施の形態のうちの任意の実施の形態を適宜組み合わせることにより、それぞれの有する効果を奏するようにすることができる。
【産業上の利用可能性】
【００６４】
本開示のフィルタは、建物の内装材等として用いられる建材から発生するホルムアルデヒドなどの汚染物質（揮発性有機化合物（Volatile Organic Compounds））を吸着する用途のフィルタとして有用である。
【符号の説明】
【００６５】
１  第１フィルタ
２  第２フィルタ
３  第３フィルタ
４  枠体
５  第１フィルタ（変形例）
１０  フィルタ
１１  格子部材
１２  第１活性炭
１３  第１活性炭粒子
２１  不織布
２２  第２活性炭
２３  第２活性炭粒子
３１  不織布
３２  第３活性炭
３３  第３活性炭粒子
５１  第１格子部材（変形例）
５２  第２格子部材（変形例）
【図１】
2017029389.tif 000003
【図２】
2017029389.tif 000004
【図３】
2017029389.tif 000005
【図４】
2017029389.tif 000006
【図５】
2017029389.tif 000007
【図６】
2017029389.tif 000008
【図１２】
2017029389.tif 000009
【図１３】
2017029389.tif 000010
【図１４】
2017029389.tif 000011
【図７】
2017029389.tif 000012
【図８】
2017029389.tif 000013
【図９】
2017029389.tif 000014
【図１０】
2017029389.tif 000015
【図１１】
2017029389.tif 000016